(57)【要約】【課題】２層目記録層のデータ領域に未記録部分が存在するような片面２層の光ディスクに対して、ファイナライズ処理を行うと、ファイナライズ処理に長時間を要し、ユーザーの利便性を損ねる。同様に、ボーダーアウトに要する時間も長時間を要する。【解決手段】  ファイナライズ操作指令が上位装置１０から行われると、二層目記録層のユーザーデータ記録領域の最内周のアドレスから所定の値だけ内周側のアドレスＸが算出される。次に、最新のＲＭＤをディスクから「最外周記録済みアドレス・フィールド」の値Ｙを取得してアドレスＹと比較することで、二層目記録層のアドレスＹからアドレスＸまでの未記録部分を検出する（Ｓ４〜Ｓ５）。検出された未記録部分にパディングデータを記録する。これにより、パディングデータを記録する必要があるのは、アドレスＸ又はアドレスＹまでであり、記録に要する時間を短縮することが可能となる。【選択図】            図３
2006323985.tif 000002
【特許請求の範囲】
【請求項１】
積層された複数の記録層の各々に、ユーザーデータが記録されるデータ領域が配置され、かつ、前記データ領域とは別に、記録管理情報を記録するための記録管理領域が配置された構造のディスク状の書き換え型光情報記録媒体に対して、光ピックアップから出射する光ビームを用いて前記複数の記録層の各データ領域内に任意に設定した中間領域又はボーダーゾーンと、データ領域最内周位置又は内周側の隣接するボーダーゾーンとの間に、所望のユーザーデータを記録すると共に、前記記録管理領域に前記記録管理情報を記録する光情報記録方法であって、
ユーザーデータを記録した前記書き換え型光情報記録媒体に対して、再生専用装置での再生を可能にするためのファイナライズ処理の指令又はボーダークローズの指令を受けることにより、前記複数の記録層の各データ領域のうち前記指令直前に記録した、前記光ピックアップに最も近い一層目記録層以外の他の記録層におけるデータ領域内の今回のユーザーデータ記録領域の最内周位置に関連した第１の位置情報を算出する第１のステップと、
前記記録管理領域から再生した前記記録管理情報に含まれる、少なくとも前回のユーザーデータ記録時の前記他の記録層における記録済み領域の略最外周位置を示す第２の位置情報を取得する第２のステップと、
前記第１及び第２の位置情報を比較して両者の間に未記録部分があるかどうか判定する第３のステップと、
前記未記録部分があると判定されたときは、少なくとも今回のユーザーデータ記録領域の最内周位置から始まる前記未記録部分をすべてパディングデータで記録済みとする第４のステップと、
前記今回のユーザーデータ記録領域の前記他の記録層における記録済み領域の略最外周位置を示す位置情報を、前記第２の位置情報として前記記録管理情報に含めて前記記録管理領域に記録する第５のステップと
を含むことを特徴とする光情報記録方法。
【請求項２】
前記記録管理領域に記録された前記第２の位置情報は、簡易的な再フォーマットのときには、消去されることなく保持されることを特徴とする請求項１記載の光情報記録方法。
【請求項３】
積層された複数の記録層の各々に、ユーザーデータが記録されるデータ領域が配置され、かつ、前記データ領域とは別に、記録管理情報を記録するための記録管理領域が配置された構造のディスク状の書き換え型光情報記録媒体に対して、光ピックアップから出射する光ビームを用いて前記複数の記録層の各データ領域内に任意に設定した中間領域又はボーダーゾーンと、データ領域最内周位置又は内周側の隣接するボーダーゾーンとの間に、所望のユーザーデータを記録すると共に、前記記録管理領域に前記記録管理情報を記録する光情報記録装置であって、
ユーザーデータを記録した前記書き換え型光情報記録媒体に対して、再生専用装置での再生を可能にするためのファイナライズ処理の指令又はボーダークローズの指令を受けることにより、前記複数の記録層の各データ領域のうち前記指令直前に記録した、前記光ピックアップに最も近い一層目記録層以外の他の記録層におけるデータ領域内の今回のユーザーデータ記録領域の最内周位置に関連した第１の位置情報を算出する第１の位置情報算出手段と、
前記記録管理領域から再生した前記記録管理情報に含まれる、少なくとも前回のユーザーデータ記録時の前記他の記録層における記録済み領域の略最外周位置を示す第２の位置情報を取得する第２の位置情報取得手段と、
前記第１及び第２の位置情報を比較して両者の間に未記録部分があるかどうか判定する判定手段と、
前記未記録部分があると判定されたときは、少なくとも今回のユーザーデータ記録領域の最内周位置から始まる前記未記録部分をすべてパディングデータで記録済みとするパディングデータ記録手段と、
前記今回のユーザーデータ記録領域の前記他の記録層における記録済み領域の略最外周位置を示す位置情報を、前記第２の位置情報として前記記録管理情報に含めて前記記録管理領域に記録する記録管理情報記録手段と
を有することを特徴とする光情報記録装置。
【請求項４】
簡易的な再フォーマットのときは、前記記録管理領域に記録された前記第２の位置情報を消去することなく保持する保持手段を有することを特徴とする請求項３記載の光情報記録装置。
【請求項５】
積層された複数の記録層の各々に、ユーザーデータが記録されるデータ領域が配置され、かつ、前記データ領域とは別に、記録管理情報を記録するための記録管理領域が配置された構造のディスク状の書き換え型光情報記録媒体に対して、光ピックアップから出射する光ビームを用いて前記複数の記録層の各データ領域内に任意に設定した中間領域又はボーダーゾーンと、データ領域最内周位置又は内周側の隣接するボーダーゾーンとの間に、所望のユーザーデータを記録すると共に、前記記録管理領域に前記記録管理情報を記録することをコンピュータに実行させる光情報記録プログラムであって、
コンピュータに、
ユーザーデータを記録した前記書き換え型光情報記録媒体に対して、再生専用装置での再生を可能にするためのファイナライズ処理の指令又はボーダークローズの指令を受けることにより、前記複数の記録層の各データ領域のうち前記指令直前に記録した、前記光ピックアップに最も近い一層目記録層以外の他の記録層におけるデータ領域内の今回のユーザーデータ記録領域の最内周位置に関連した第１の位置情報を算出する第１のステップと、
前記記録管理領域から再生した前記記録管理情報に含まれる、少なくとも前回のユーザーデータ記録時の前記他の記録層における記録済み領域の略最外周位置を示す第２の位置情報を取得する第２のステップと、
前記第１及び第２の位置情報を比較して両者の間に未記録部分があるかどうか判定する第３のステップと、
前記未記録部分があると判定されたときは、少なくとも今回のユーザーデータ記録領域の最内周位置から始まる前記未記録部分をすべてパディングデータで記録済みとする第４のステップと、
前記今回のユーザーデータ記録領域の前記他の記録層における記録済み領域の略最外周位置を示す位置情報を、前記第２の位置情報として前記記録管理情報に含めて前記記録管理領域に記録する第５のステップと
を順次実行させることを特徴とする光情報記録プログラム。
【請求項６】
前記記録管理領域に記録された前記第２の位置情報は、簡易的な再フォーマットのときには、消去されることなく保持されることを特徴とする請求項５記載の光情報記録プログラム。
【請求項７】
積層された複数の記録層の各々に、ユーザーデータが記録されるデータ領域が配置され、かつ、前記データ領域とは別に、記録管理情報を記録するための記録管理領域が配置されており、光ピックアップから出射する光ビームを用いて前記複数の記録層の各データ領域内に任意に設定した中間領域又はボーダーゾーンとデータ領域最内周位置又は内周側の隣接するボーダーゾーンとの間に、所望のユーザーデータが記録されると共に、前記記録管理領域に前記記録管理情報が記録される、ディスク状の書き換え型光情報記録媒体であって、
再生専用装置での再生を可能にするためのファイナライズ処理又はボーダークローズ処理の際に、前記光ピックアップに最も近い一層目記録層以外の他の記録層における記録済み領域の略最外周位置を示す位置情報を、簡易的な再フォーマットのときには、消去されることなく保持されるものとして記録される領域が設けられていることを特徴とする光情報記録媒体。
【発明の詳細な説明】
【技術分野】
【０００１】
本発明は光情報記録方法、光情報記録装置、光情報記録プログラム及び光情報記録媒体に係り、特に複数の記録層を持つ書き換え可能型のディスク状の光情報記録媒体に対して情報を記録する光情報記録方法、光情報記録装置、光情報記録プログラム及び光情報記録媒体に関する。
【背景技術】
【０００２】
ＤＶＤ（Digital Versatile Disc）規格に従う追記型の光ディスクであるＤＶＤ−Ｒディスク、及び書き換え可能型の光ディスクであるＤＶＤ−ＲＷディスクが、現在広く普及している。図８はＤＶＤ−ＲディスクやＤＶＤ−ＲＷディスクの一部外観斜視図を示す。同図に示すように、光ディスク（ＤＶＤ−Ｒディスク又はＤＶＤ−ＲＷディスク）２００の記録層に、データ記録用トラックとしてのグルーブトラック２０１と、そのグルーブトラック２０１に、再生光又は記録光としての光ビーム２０３を誘導するためのランドトラック２０２とが、ディスク半径方向に交互に形成されている。
【０００３】
また、ランドトラック２０２には、ディスク製造時のプリフォーマットの段階で、ディスク上のＥＣＣブロックアドレス情報や付加情報等が、ランドプリピット（ＬＰＰ）２０４と呼ばれる孤立ビットとして所定の規則で配置記録されている（例えば、特許文献１参照）。光ディスク２００への記録は、このプリ記録されたＬＰＰ２０４のＥＣＣブロックアドレス情報を基にして行われる。
【０００４】
図９は一層のみの記録層を持つＤＶＤ−Ｒディスク又はＤＶＤ−ＲＷディスクの断面構造を模式的に示す。同図において、ＤＶＤ−Ｒディスク又はＤＶＤ−ＲＷディスクである光ディスク１００は、内周から外周へ向かって、パワーキャリブレーション領域（Power Calibration Area：PCA）１０１と、記録管理領域（Recording Management Area：RMA）１０２と、リードイン領域（Lead-In）１０３と、データ領域（Data Area）１０４と、リードアウト領域（Lead-Out）１０５とに分割されている。
【０００５】
ＰＣＡ領域１０１とＲＭＡ領域１０２とは、Ｒ情報領域（R-Information area）１０６を構成している。データ領域１０４は、ユーザーデータが記録される領域である。リードイン領域１０３とリードアウト領域１０５は、データ領域１０４にアクセスする際の記録・再生ヘッド（光ピックアップ）のオーバーランに備える緩衝領域である。リードイン領域１０３には、ディスク全体の物理的な情報や管理情報等も記録される。
【０００６】
データ領域１０４に記録されるデータは、図１０（Ａ）に示すようなＥＣＣブロックを単位として記録される。１つのＥＣＣブロックは、３２ｋバイトのユーザーデータと誤り検出、訂正符号のパリティ、同期信号等からなる。１つのＥＣＣブロックは、図１０（Ａ）に示すように、１６個のセクタからなる。各セクタは、図１０（Ｂ）に示すような構成であり、先頭に４バイトのＩＤと２バイトのＩＥＤ（ＩＤの検査バイト）を含む。セクタＩＤには、そのセクタのセクタ番号等が格納されている。このセクタ番号は、前述したランドプリピット（ＬＰＰ）のＥＣＣブロックアドレス情報と関連がある値が格納される。
【０００７】
光ディスクドライブ装置は、ＤＶＤ−Ｒディスク又はＤＶＤ−ＲＷディスクに対する本記録の開始より前に、対象となる光ディスク１００に対して記録条件を変えながら所定の信号を試し書きし、試し書きした領域を再生することにより取得される再生信号の特性に基づいて最適記録パワーを取得し、この最適記録パワーによって本記録を行うようにしている。これにより、良好な記録品質を得ることができる。このように、試し書きした領域からの再生信号に基づいて最適記録パワーを取得することをＯＰＣ（Optimum Power Control）と呼ぶが、図９のＰＣＡ領域１０１はこのＯＰＣを行うために用意されている領域である。
【０００８】
また、図９の記録管理領域（Recording Management Area：RMA）１０２は、上述したリードイン領域１０３とデータ領域１０４とリードアウト領域１０５の記録状態の変遷やＯＰＣ情報を管理するための記録管理情報が記録される領域である。ＲＭＡ１０２内には、データ領域１０４のユーザーデータと同様にブロック化されて誤り訂正符号化された、ＲＭＤ（Recording Management Data）ブロックを単位として記録される。ＲＭＡ１０２のデータ構造は、ＤＶＤ−ＲディスクとＤＶＤ−ＲＷディスクとで異なり、更にＤＶＤ−ＲＷディスクを順次記録モードで使用する場合と、ＤＶＤ−ＲＷディスクを重ね書きモードで使用する場合とのそれぞれで異なっている。
【０００９】
図１１はＤＶＤ−ＲＷディスクを重ね書きモードで使用する場合のＲＭＡのデータ構造を示す。ＲＭＡ１０２は、ＲＭＡの始まりを示すＲＭＡリードイン（Lead-in）１０２０と、５つのＲＭＡセグメント(RMA Segment)１０２１〜１０２５と呼ばれる領域とからなる。各ＲＭＡ Ｓｅｇｍｅｎｔ１０２１〜１０２５は、図１１（Ｂ）に示すように、２８個のＲＭＤセット（RMD Set）で構成されており、各ＲＭＤ Ｓｅｔは、同図（Ｃ）に示すように、５個のＲＭＤブロック（RMD block）で構成されている。
【００１０】
この５個のＲＭＤ ｂｌｏｃｋには、各ＲＭＤ ｂｌｏｃｋに同一の情報が格納されており、５個の多重書きとなっている。また、上記の２８個のＲＭＤ Ｓｅｔのうち、最初の１個には、Ｆｏｒｍａｔ２形式のＲＭＤが格納されており、残りの２７個にはＦｏｒｍａｔ３形式のＲＭＤが格納される。Ｆｏｒｍａｔ３形式のＲＭＤには、実際の記録状態の変遷を管理する情報やデータ領域１０４内の欠陥ブロックに関する情報が格納される。更に、２７個のＦｏｒｍａｔ３形式のＲＭＤ Ｓｅｔのうち、ある時点で有効なＲＭＤ Ｓｅｔはただ一つである。また、Ｆｏｒｍａｔ２形式のＲＭＤ Ｓｅｔには、その有効なＲＭＤ Ｓｅｔへのポインタが格納されている。
【００１１】
書き換え可能型である、ＤＶＤ−ＲＷディスクには、ユーザーデータが何度も書き換えられて記録される。その度に、その時点で有効な１個のＦｏｒｍａｔ３形式のＲＭＤ Ｓｅｔを構成する５個のＲＭＤ ｂｌｏｃｋを書き換えることになる。ＤＶＤ−ＲＷディスクは書き換え可能なメディアであるが、その書き換え回数には制限があり、書き換え回数が増えると記録層の劣化により記録再生誤りが増加する。
【００１２】
新品ディスクでは、図１１（Ａ）、（Ｂ）に示したＲＭＡ Ｓｅｇｍｅｎｔ＃１のＲＭＤ Ｓｅｔ＃１とＲＭＤ Ｓｅｔ＃２が使用される。ＲＭＤ Ｓｅｔ＃１には、Ｆｏｒｍａｔ２形式の５個のＲＭＤ ｂｌｏｃｋが、ＲＭＤ Ｓｅｔ＃２には、Ｆｏｒｍａｔ３形式の５個のＲＭＤ ｂｌｏｃｋが記録される。その後、ユーザーデータが何度も書き換えられるのに応じて、このＲＭＤ Ｓｅｔ＃２も何度も書き換えられ、そのうちに、ＲＭＤ Ｓｅｔ＃２の中の５個のＲＭＤ ｂｌｏｃｋに訂正不能誤りのブロックが増えてくる。
【００１３】
そして、ＲＭＤＳｅｔ＃２中の３個以上のＲＭＤ ｂｌｏｃｋに訂正不能誤りが発生した時点で、そのＲＭＤ Ｓｅｔ＃２の使用を止めて、ＲＭＤ Ｓｅｔ＃３を使用する。同時に、ＲＭＤ Ｓｅｔ＃１のＦｏｒｍａｔ２ ＲＭＤ中に、ＲＭＤ Ｓｅｔ＃３へのポインタを格納する。以上の動作を繰り返して、ＲＭＤ Ｓｅｇｍｅｎｔ＃１内のＲＭＤ Ｓｅｔ＃２８を使用し終わるか、あるいはＲＭＤ Ｓｅｇｍｅｎｔ＃１内のＲＭＤ Ｓｅｔ＃２中のＲＭＤ ｂｌｏｃｋのうち３個以上のブロックに訂正不能誤りが発生した時点で、ＲＭＤ Ｓｅｇｍｅｎｔ＃２の使用に移る。以下、同様にして、ＲＭＡ Ｓｅｇｍｅｎｔ＃５内のＲＭＤ Ｓｅｔ＃２８を使い切るまで、ＤＶＤ−ＲＷディスクの書き換えができる。
【００１４】
さて、ユーザーが記録したい容量は年々増加しており、この要求に応えるべく２層の記録層を持つＤＶＤ−Ｒディスク、ＤＶＤ−ＲＷディスクの開発が進められている。図１２はこの２層ＤＶＤ−Ｒディスクの一例の概略構造断面図を示す。同図に示すように、片面２層のＤＶＤ−Ｒディスクは、一層目記録層３０１と二層目記録層３０２とが、記録再生時の光ビーム４０２の光軸方向に積層されており、光ビーム４０２は光ピックアップ内の対物レンズ４０１により一層目記録層３０１に集光されるか、又は一層目記録層３０１を透過して二層目記録層３０２に集光される。
【００１５】
光ピックアップに近い方の上記の一層目記録層３０１の記録領域は、内周から外周へ向かって、ＰＣＡ領域３１１、ＲＭＡ領域３１２、リードイン領域（Ｌｅａｄ−Ｉｎ）３１３、データ領域（Ｄａｔａ Ａｒｅａ）３１４及び中間領域（Ｍｉｄｄｌｅ Ａｒｅａ）３１５に分割されている。また、上記の二層目記録層３０２の記録領域は、内周から外周へ向かって、ＰＣＡ領域３２１、ＲＭＡ領域３２２、リードアウト領域（Ｌｅａｄ−Ｏｕｔ）３２３、データ領域（Ｄａｔａ Ａｒｅａ）３２４及び中間領域（Ｍｉｄｄｌｅ Ａｒｅａ）３２５に分割されている。
【００１６】
すなわち、一層目記録層３０１は、図９に示した単層のＤＶＤ−Ｒディスクに対して、リードアウト領域１０５が中間領域３１５に変更されている。また、二層目記録層３０２は、一層目記録層３０１とほぼ同じ構造であるが、リードイン領域３１３の替わりにリードアウト領域３２３が設けられる。一層目記録層３０１は、内周側から外周側に向かって記録され、二層目記録層３０２は外周側から内周側に向かって記録される。
【００１７】
ところで、ユーザーデータを記録したＤＶＤ−ＲディスクをＤＶＤプレーヤで再生可能とするためには、ファイナライズ処理を行う必要がある。図９に示した単層ディスクの場合には、リードイン領域（Ｌｅａｄ−ｉｎ）１０３及びリードアウト領域（Ｌｅａｄ−Ｏｕｔ）１０５の記録と、データ領域（Ｄａｔａ Ａｒｅａ）１０４のうち未記録の部分の記録が行われる。
【００１８】
一方、図１２に示した２層ＤＶＤ−Ｒディスクのファイナライズには、単層の場合に比較して、より長時間を要する場合がある。図１３に、その様子を示す。いま、２層ＤＶＤ−Ｒディスクのデータ領域のうち、図１３（Ａ）に左下がりの斜線を付して示す領域に、矢印５３１、５３２で示す順番でユーザーデータを記録してあるものとする。すなわち、図１３（Ａ）では、図１２に示した２層構造の光ディスクにおいて、一層目記録層３０１のデータ領域３１４全体に５１１で示すようにユーザーデータが記録され、更に、二層目記録層３０２のデータ領域３２４のうちの一部の領域５１２にユーザーデータが記録されている。
【００１９】
この状態からファイナライズを行うと、図１３（Ａ）の一層目記録層３０１のリードイン領域（Ｌｅａｄ−Ｉｎ）３１３、中間領域（Ｍｉｄｄｌｅ−Ａｒｅａ）３１５、二層目記録層３０２の中間領域３２５、リードアウト領域（Ｌｅａｄ−Ｏｕｔ）３２３に所定のデータが記録されると共に、本来であればユーザーデータを記録する領域である、２層目記録層３０２のデータ領域３２４の白地で示す未記録部分にも、リードアウト属性のパディングデータが記録され、その結果、ディスクは図１３（Ｂ）に示す状態となる。同図（Ｂ）中、右下がりの斜線部分５１３、５１４、５１５、５１６及び５１７がファイナライズ時に記録した領域である。
【００２０】
このパディングデータについても、図１０で述べたようなＥＣＣブロックの形で記録され、各セクタにセクタアドレスを格納したセクタＩＤ（Identification Data）が配置される。セクタＩＤ中には、セクタアドレスの他にセクタが記録される領域の属性を示すデータが格納されており、そのデータをリードアウト属性として記録する。
【００２１】
このように、２層目記録層３０２のデータ領域３２４を記録済みにする必要があるのは、ＤＶＤプレーヤが再生専用装置であることによる。すなわち、記録再生装置の場合には、未記録の状態の光ディスクが装填されて記録を行うことが前提であり、未記録の状態であってもランドプリピットを再生して光ディスク内のＥＣＣブロックアドレス情報を読み取ることが可能なように構成されている。
【００２２】
一方、再生専用装置では、未記録部分が残った状態の光ディスクが装填されることは想定しておらず、ランドプリピットを再生して光ディスク内のＥＣＣブロックアドレス情報を読み取ることはできない。図１３（Ａ）に示したように、２層目記録層３０２のデータ領域３２４の一部が未記録状態の光ディスクが再生専用装置であるＤＶＤプレーヤに装填され、１層目記録層３０１のデータ領域５１１の記録データを再生中に、光ディスクのディフェクトや振動等で光ビームの焦点が２層目記録層３０２に移動してそこで合焦した場合を考える。
【００２３】
その場合、ＤＶＤプレーヤでは、光ディスク内のどの場所に光ビームが位置しているかを知るすべがないために、そのまま異常動作に入ってしまう。しかし、図１３（Ｂ）のように、パディングデータが記録されている状態であれば、再生データ中のセクタＩＤによって、光ビームの位置を判別することが可能である。従って、上記の場合は、２層目記録層３０２に合焦していることを認識して、元の１層目記録層３０１へと光ビームの焦点を移動させることができる。
【００２４】
【特許文献１】特開平１０−２９３９２６号公報
【発明の開示】
【発明が解決しようとする課題】
【００２５】
従って、上記の二層の記録層を持つＤＶＤ−ＲＷディスクの場合にも、ユーザーデータを記録したＤＶＤ−ＲＷディスクをＤＶＤプレーヤで再生可能とするために、ファイナライズ処理を行う必要がある。しかるに、例えば、図１３（Ａ）に示すように、２層目記録層のデータ領域に今回ユーザーデータを記録していないデータ領域が存在するような光ディスクに対して、ファイナライズ処理を行うと、２層目記録層のデータ領域における今回ユーザーデータを記録していないデータ領域のすべて、すなわち、今回のユーザーデータ記録領域の最内周位置からデータ領域最内周までの間のデータ領域すべてをリードアウト属性のパディングデータで記録する必要があるために、ファイナライズ処理に長時間を要し、ユーザーの利便性を損ねるという問題がある。同様に、マルチボーダーと呼ばれる記録法を使用したときの、ボーダークローズに要する時間も長時間を要する。
【００２６】
本発明は上記の点に鑑みなされたもので、ファイナライズ処理やボーダークローズに要する時間を短縮し、ユーザーの利便性を高めることができる光情報記録方法、光情報記録装置、光情報記録プログラム及び光情報記録媒体を提供することを目的とする。
【課題を解決するための手段】
【００２７】
本発明の光情報記録方法は上記の目的を達成するため、積層された複数の記録層の各々に、ユーザーデータが記録されるデータ領域が配置され、かつ、データ領域とは別に、記録管理情報を記録するための記録管理領域が配置された構造のディスク状の書き換え型光情報記録媒体に対して、光ピックアップから出射する光ビームを用いて複数の記録層の各データ領域内に任意に設定した中間領域又はボーダーゾーンと、データ領域最内周位置又は内周側の隣接するボーダーゾーンとの間に、所望のユーザーデータを記録すると共に、記録管理領域に記録管理情報を記録する光情報記録方法であって、
ユーザーデータを記録した書き換え型光情報記録媒体に対して、再生専用装置での再生を可能にするためのファイナライズ処理の指令又はボーダークローズの指令を受けることにより、複数の記録層の各データ領域のうち指令直前に記録した、光ピックアップに最も近い一層目記録層以外の他の記録層におけるデータ領域内の今回のユーザーデータ記録領域の最内周位置に関連した第１の位置情報を算出する第１のステップと、記録管理領域から再生した記録管理情報に含まれる、少なくとも前回のユーザーデータ記録時の他の記録層における記録済み領域の略最外周位置を示す第２の位置情報を取得する第２のステップと、第１及び第２の位置情報を比較して両者の間に未記録部分があるかどうか判定する第３のステップと、未記録部分があると判定されたときは、少なくとも今回のユーザーデータ記録領域の最内周位置から始まる未記録部分をすべてパディングデータで記録済みとする第４のステップと、今回のユーザーデータ記録領域の他の記録層における記録済み領域の略最外周位置を示す位置情報を、第２の位置情報として記録管理情報に含めて記録管理領域に記録する第５のステップとを含むことを特徴とする。
【００２８】
ここで、「任意に設定した中間領域又はボーダーゾーンと、データ領域最内周位置又は内周側の隣接するボーダーゾーンとの間に」には、任意に設定した中間領域とデータ領域最内周位置との間、任意に設定した中間領域と内周側の隣接するボーダーゾーンとの間、ボーダーゾーンとデータ領域最内周位置との間、ボーダーゾーンと内周側の隣接するボーダーゾーンとの間の、４つのパターンがある。また、記録管理領域に記録された上記の第２の位置を示す情報は、簡易的な再フォーマットのときには、消去されることなく保持されることを特徴とする。
【００２９】
また、上記の目的を達成するため、本発明の光情報記録装置は、積層された複数の記録層の各々に、ユーザーデータが記録されるデータ領域が配置され、かつ、データ領域とは別に、記録管理情報を記録するための記録管理領域が配置された構造のディスク状の書き換え型光情報記録媒体に対して、光ピックアップから出射する光ビームを用いて複数の記録層の各データ領域内に任意に設定した中間領域又はボーダーゾーンと、データ領域最内周位置又は内周側の隣接するボーダーゾーンとの間に、所望のユーザーデータを記録すると共に、記録管理領域に記録管理情報を記録する光情報記録装置であって、
ユーザーデータを記録した書き換え型光情報記録媒体に対して、再生専用装置での再生を可能にするためのファイナライズ処理の指令又はボーダークローズの指令を受けることにより、複数の記録層の各データ領域のうち指令直前に記録した、光ピックアップに最も近い一層目記録層以外の他の記録層におけるデータ領域内の今回のユーザーデータ記録領域の最内周位置に関連した第１の位置情報を算出する第１の位置情報算出手段と、記録管理領域から再生した記録管理情報に含まれる、少なくとも前回のユーザーデータ記録時の他の記録層における記録済み領域の略最外周位置を示す第２の位置情報を取得する第２の位置情報取得手段と、第１及び第２の位置情報を比較して両者の間に未記録部分があるかどうか判定する判定手段と、未記録部分があると判定されたときは、少なくとも今回のユーザーデータ記録領域の最内周位置から始まる未記録部分をすべてパディングデータで記録済みとするパディングデータ記録手段と、今回のユーザーデータ記録領域の他の記録層における記録済み領域の略最外周位置を示す位置情報を、第２の位置情報として記録管理情報に含めて記録管理領域に記録する記録管理情報記録手段とを有することを特徴とする。
【００３０】
上記の本発明の光情報記録方法及び記録装置では、再生専用装置での再生を可能にするためのファイナライズ処理の指令又はボーダークローズの指令を受けたときは、記録管理領域に記録されている記録管理情報中の前回のユーザーデータ記録時の他の記録層における記録済み領域の略最外周位置（ただし、前回のユーザーデータ記録が行われていない時の初期値は記録可能領域の最内周位置）と、複数の記録層の各データ領域のうち指令直前に記録した、光ピックアップに最も近い一層目記録層以外の他の記録層におけるデータ領域内の今回のユーザーデータ記録領域の最内周位置に関連した位置との間に未記録部分があるかどうか判定し、未記録部分があると判定したときは、少なくとも今回のユーザーデータ記録領域の最内周位置から始まる未記録部分をすべてパディングデータで記録済みとすることを特徴とする。
【００３１】
なお、本明細書において、ファイナライズ処理の指令又はボーダークローズの指令の「直前」とは、ファイナライズ処理又はボーダークローズを行わないで装置から取り出した光情報記録媒体を、その後再び装置に装填してからファイナライズ処理又はボーダークローズの指令を受けた場合も含む。
【００３２】
また、上記の目的を達成するため、本発明の光情報記録プログラムは、第１の発明の光情報記録方法の各ステップをコンピュータに順次実行させることを特徴とする。更に、上記の目的を達成するため、本発明の光情報記録媒体は、積層された複数の記録層の各々に、ユーザーデータが記録されるデータ領域が配置され、かつ、データ領域とは別に、記録管理情報を記録するための記録管理領域が配置されており、光ピックアップから出射する光ビームを用いて複数の記録層の各データ領域内に任意に設定した中間領域又はボーダーゾーンとデータ領域最内周位置又は内周側の隣接するボーダーゾーンとの間に、所望のユーザーデータが記録されると共に、記録管理領域に記録管理情報が記録される、ディスク状の書き換え型光情報記録媒体であって、再生専用装置での再生を可能にするためのファイナライズ処理又はボーダークローズ処理の際に、光ピックアップに最も近い一層目記録層以外の他の記録層における記録済み領域の略最外周位置を示す位置情報を、簡易的な再フォーマットのときには、消去されることなく保持されるものとして記録される領域が設けられていることを特徴とする。
【発明の効果】
【００３３】
本発明によれば、再生専用装置での再生を可能にするためのファイナライズ処理の指令又はボーダークローズの指令を受けたときは、記録管理情報中の前回のユーザーデータ記録時の他の記録層における記録済み領域の略最外周位置（ただし、前回のユーザーデータ記録が行われていない時の初期値は記録可能領域の最内周位置）と、複数の記録層の各データ領域のうち指令直前に記録した、光ピックアップに最も近い一層目記録層以外の他の記録層におけるデータ領域内の今回のユーザーデータ記録領域の最内周位置に関連した位置との間に未記録部分があるかどうか判定し、未記録部分があると判定したときは、少なくとも今回のユーザーデータ記録領域の最内周位置から始まる未記録部分をすべてパディングデータで記録済みとするようにしたため、ファイナライズ又はボーダーアウトに要する時間を、記録管理情報中の第２の位置情報を用いない従来に比べて短縮できる。
【発明を実施するための最良の形態】
【００３４】
次に、本発明の実施の形態について図面を参照しながら説明する。図１は本発明になる光情報記録装置の一実施の形態を含む記録再生システムのブロック図を示す。同図において、記録再生システムは、上位装置１０と、本発明の光情報記録装置の一実施の形態である光ディスク装置２０と、図１２に示したような二層の記録層を持った片面２層ＤＶＤ−ＲＷディスク３０とを含む。上位装置１０は、光ディスク装置２０にＤＶＤ−ＲＷディスク３０に対する記録又は再生を命令する。上位装置１０は、例えば、パーソナルコンピュータである。上位装置１０と光ディスク装置２０は同一筐体に収められていてもよい。このような形態は、例えば、光ディスクレコーダにおいて採用される。ＤＶＤ−ＲＷディスク３０は、光ディスク装置２０に装填される。
【００３５】
光ディスク装置２０は、装置全体を制御するコンピュータであるシステムコントローラ２１と、片面２層ＤＶＤ−ＲＷディスク３０への記録と再生を行う記録再生回路２２と、記録再生回路２２に接続されて光ビームの放射と反射ビームの受光を行う光ピックアップ２３と、システムコントローラ２１に対して、本実施の形態特有の動作を行わせるための制御プログラムが格納されたプログラムメモリ２４と、ＤＶＤ−ＲＷディスク３０へ記録及び再生するデータを一時的に保持するデータメモリ２５と、それらの構成要素をつなぐ内部バス２６と、上位装置１０と内部バス２６のインターフェイス（ＩＦ）を行うＩＦ部２７とから構成される。記録再生回路２２及び光ピックアップ２３は、片面２層ＤＶＤ−ＲＷディスク３０（複数に記録層を持った情報記録媒体）に管理情報及びユーザーデータ、パディングデータの記録を行う記録手段、及び管理情報及びユーザーデータ、パディングデータの再生手段として機能する。
【００３６】
次に、光ディスク装置２０の一実施の形態による、２層の記録層を持ったＤＶＤ−ＲＷディスク３０への記録状態の変遷の一例について、図２のディスク断面模式図を併せ参照して説明する。図２中、図１２と同一構成部分には同一符号を付してある。図２（Ａ）は、ＤＶＤ−ＲＷディスク３０が新品の状態を示しており、２つの記録層はともに未記録である。
【００３７】
図２（Ｂ）は、中間領域（Middle-Area）をディスク３０の最外周にある中間領域３１５、３２５よりも内周側の領域３１７、３２７に確保して、一層目の記録層のデータ領域３１４の内周側から中間領域３１７の手前までにユーザーデータを６０１で示すように記録し、その後、二層目の記録層の中間領域３２７との境界(ＥＣＣブロックアドレスＰ)から内周側のＥＣＣブロックアドレスＡまで６０２で示すように記録を行った状態を示す。ここで、中間領域（Middle-Area）をディスクの最外周よりも内周側の領域に確保するとは、その開始ＥＣＣブロックアドレスをＲＭＤの所定のフィールドに格納して、図２（Ｂ）における６０３で示すように、ＲＭＡ３１２にそのＲＭＤを記録する操作に相当する。なお、このように内周側に確保された中間領域３１７、３２７をシフテッド・中間領域（Shifted Middle-Area）と呼ぶ。
【００３８】
図２（Ｃ）は、図２（Ｂ）に示す状態からファイナライズを行った状態を示す。ファイナライズは、ユーザーの指示を基に上位装置１０の指令によって、システムコントローラ２１の制御のもと図３のフローチャートに従って行われる。ここで、ファイナライズとは、一層目の記録層についてはリードイン領域３１３の最内周側からシフテッド・中間領域３１７の最外周まで、二層目の記録層についてはシフテッド・中間領域３２７の最外周からリードアウト領域３２３の最内周までの全ての領域を記録済みとする操作である。
【００３９】
具体的には、システムコントローラ２１は上位装置１０からファイナライズ指令を受けると（図３のステップＳ１）、図２（Ｂ）に示す状態から、データ領域内の必要な部分に所定のデータを記録する（図３のステップＳ２）。ここでは、ＤＶＤプレーヤで再生可能となるように、ディスクのファイルシステムを図２（Ｃ）に７００で示すように、データ領域３１４の最内周位置からある領域記録する。
【００４０】
続いて、システムコントローラ２１は、ユーザーデータの記録済みの最終アドレス（ここでは、ＥＣＣブロックアドレスＡ）から所定の値（ディスク上で、半径方向に例えば０.５ｍｍの幅分）だけ内周側のＥＣＣブロックアドレスＸを算出する（図３のステップＳ３）。
【００４１】
次に、最新のＲＭＤから「最外周記録済みアドレス・フィールド」を読み取り、その値Ｙを取得し（図３のステップＳ４）、上記のアドレスＸと比較する（図３のステップＳ５）。なお、「最外周記録済みアドレス・フィールド」は、二層目の記録層の記録済みのセクタの内の最外周にあるフィールドであり、これについては後述する。このときの「最外周記録済みアドレス・フィールド」の値Ｙは、初期状態のときの最内周セクタ位置を示す「０」であり、一方、アドレスＸは図２（Ｂ）に示したＥＣＣブロックアドレスＡより若干内周側の位置を示すアドレスであるから、アドレスＸの方が外周側にある。
【００４２】
この場合は、図２（Ｂ）に示す状態の光ディスクの所定の未記録部分についてパディング記録が行われる（図３のステップＳ６）。すなわち、ステップＳ６では、まず、二層目の記録層のＥＣＣブロックアドレスＡからリードアウト領域３２３の最外周側まで、リードアウト属性またはデータ領域属性のパディングデータで記録する。これにより、図２（Ｃ）に示すように、パディングデータ記録領域７０１が形成される。このパディングデータは、従来例と同様に、図１０で述べたようなＥＣＣブロックの形で記録され、各セクタにセクタアドレス及びリードアウト属性またはデータ領域属性を示すデータ等を格納したＩＤが配置される。
【００４３】
次に、一層目のシフテッド・中間領域３１７の内周側から外周側へ中間領域属性のデータを記録し、さらに二層目のシフテッド・中間領域３２７の外周側から内周側へと中間領域属性のデータを記録する。これにより、図２（Ｃ）に示すように、中間領域属性のデータ記録領域７０２、７０３が形成される。続いて、リードイン領域３１３の未記録部分を図２（Ｃ）に７０４で示すように記録する。リードイン領域３１３には、どこまでユーザーデータが記録されているかの情報等を記録する。これにより、ＲＭＡ領域３１２、３２２の情報を読み取る機能を有しない、ＤＶＤプレーヤにおいても、上記の記録領域７００から再生した情報に基づいて、光ディスクのどこまで記録されているからの識別ができる。更に、リードアウト領域３２３を７０５で示すように記録する。このようにして、ステップＳ６により、図２（Ｃ）の右下がりハッチ部の領域７０１〜７０５が、ファイナライズ時に記録形成される。
【００４４】
そして、ファイナライズ操作の終了時に、二層目の記録層の記録済みのセクタの内の最外周にあるもの（この場合は、記録済みシフテッド・中間領域７０３の最外周のセクタ）のＥＣＣブロックアドレスＹ（ここでは、ＥＣＣブロックアドレスＢ）を、ＲＭＤの１つのフィールドに格納してＲＭＡ３１２に７０６で示すように記録する（図３のステップＳ８）。このフィールドを「最外周記録済みアドレス・フィールド」と呼ぶものとする。このフィールドの意味は、２層目の記録層のこのフィールドに格納されたＥＣＣブロックアドレスのセクタからリードアウト領域の最内周まで、全セクタが記録済みであることを示すことである。
【００４５】
図４は最外周記録済みアドレス・フィールドの変遷の一例を示す。図４では、ＲＭＤのバイトポジション（ＢＰ）「８」から「１１」に、この最外周記録済みアドレス・フィールドを配置している。図４（Ａ）は、新品のディスクに記録を開始して、一度もファイナライズ操作をしていない状態での「最外周記録済みアドレス・フィールド」で、０データが格納されて記録されている。図４（Ｂ）は、図２（Ｃ）のようにファイナライズ操作を行った後で、ＥＣＣブロックアドレスＢを格納して記録されている。最外周記録済みアドレス・フィールドは、前述したように、シフテッド・中間領域３２７の最外周のセクタのＥＣＣブロックアドレスＢが、ＢＰ「８」から「１１」に格納されて記録されている。このようにして、ファイナライズが終了すると、ディスク３０は図２（Ｃ）の状態となる。
【００４６】
なお、システムコントローラ２１は、図３のステップＳ５で、アドレスＸが最外周記録済みアドレス・フィールドの値Ｙよりも内周側にあると判定した時には、二層目記録層のデータ領域へのユーザーデータの記録が前回の最外周記録済みアドレスよりも内周側か、あるいはその近傍まで行われたと判断し、前回の二層目記録層のユーザーデータ記録領域の最内周アドレスからアドレスＸまでパディング記録を行う（図３のステップＳ７）。
【００４７】
さて、書き換え可能型の記録媒体であるＤＶＤ−ＲＷディスクの場合、一旦、ファイナライズを行ったディスクに対して、再フォーマット操作を行うことができる。この操作は、ユーザーの指示を基に上位装置１０からの指令によって行われる。再フォーマット操作のモードとして、ディスク全域をフォーマットする操作が定義されている。また、他のモードとして、ＲＭＡやリードイン領域等のディスクの一部の領域に所定のデータを記録する操作も定義されている。後者は、フォーマット時間の短縮化を図るものである。ここで、ＲＭＡやリードイン領域等のディスクの一部の領域に所定のデータを記録することでディスクのフォーマットを行う簡易的な再フォーマットの操作をクイック・フォーマット操作（Quick Format）と呼ぶものとする。
【００４８】
図２（Ｄ）は図２（Ｃ）の状態のディスクに対して、上記のクイック・フォーマット操作を行った結果の状態を示す。図２（Ｄ）中、領域８０１及び８０２がクイック・フォーマット操作により書き替えられた領域を示す。具体的には、領域８０２はＲＭＤデータを更新した領域であり、また、領域８０１はリードイン領域の一部のデータを書き替えて、データ領域の一部を記録した領域である。それ以外の領域は図２（Ｃ）の時点で記録済みの部分であり、以前に記録したデータがディスク上に残ったままである。一方、更新されたＲＭＤデータ中には、以前のシフテッド・中間領域の情報等は残っておらず、領域８０２は未記録の場合と同様に扱われる。ただし、ＲＭＤ中の「最外周記録済みアドレス・フィールド」の値は、ＥＣＣブロックアドレスＢのままとする。
【００４９】
このクイック・フォーマット操作を行った光ディスクに対して、ユーザーデータを新たに記録することができる。図２（Ｅ）は、図２（Ｄ）のようにクイック・フォーマット操作を行った光ディスクに対して、中間領域をディスク本来の中間領域３１５、３２５と同じ場所にして、一層目の記録層のデータ領域３１４の内周側から中間領域３１５の手前までユーザーデータを記録してユーザーデータ記録領域６０５を形成し、その後、二層目の記録層の中間領域３２５との境界(ＥＣＣブロックアドレスＱ)から内周側のＥＣＣブロックアドレスＣまで記録を行ってユーザーデータ記録領域６０６を形成した状態を示す。
【００５０】
この記録後にファイナライズ操作指令が上位装置１０から行われると、図３のフローチャートに従ってファイナライズ操作が行われ、光ディスクは図２（Ｅ）に示す状態から同図（Ｆ）に示す状態となる。図２（Ｆ）において、ファイナライズ操作により、まず、一層目の記録層のデータ領域に書き替えが必要な部分に所定のデータが記録される（図３のステップＳ２）。図２（Ｆ）の領域７１１は、この所定のデータ記録領域を示す。
【００５１】
次に、二層目記録層のユーザーデータ記録領域６０６の最内周のＥＣＣブロックアドレス（ここでは、ＥＣＣブロックアドレスＣ）から所定の値（ディスク上で、半径方向に０.５ｍｍの幅分）だけ内周側のＥＣＣブロックアドレスＸが算出される（図３のステップＳ３）。上記のＥＣＣブロックアドレスＸは、図２（Ｆ）ではＤとして示される。なお、上記のアドレスＣとＤ（＝Ｘ）との間の領域は、オーバーランに備える緩衝領域として規定された領域に相当する。
【００５２】
次に、最新のＲＭＤをディスクから読み取って、その中の「最外周記録済みアドレス・フィールド」の値Ｙを取り出す（図３のステップＳ４）。ここでは、図４（Ｂ）に示したＲＭＤのＢＰ８から１１までから、上記のＥＣＣブロックアドレスの値Ｙとして、ＥＣＣブロックアドレスＢが取り出せる。
【００５３】
次に、ＥＣＣブロックアドレスＹ（ここでは、Ｂ）と、ＥＣＣブロックアドレスＸ（ここではＤ）のどちらがより内周側にあるかを比較する（図３のステップＳ５）。図２（Ｆ）に示す場合は、ＥＣＣブロックアドレスＢの方がＥＣＣブロックアドレスＤよりも内周側にあるので、二層目の記録層のＥＣＣブロックアドレスＣからＥＣＣブロックアドレスＢまでの未記録部分に、リードアウト属性のパディングデータを図２（Ｆ）に７１２で示すように記録し、更に、一層目の中間領域３１５の内周側から外周側へ中間領域属性のデータを７１３で示すように記録し、二層目の中間領域３２５の外周側から内周側へ中間領域属性のデータを７１４で示すように記録する。次に、リードイン領域、リードアウト領域に書き替えが必要な部分があれば、その部分に所定のデータを記録する。
【００５４】
最後に、二層目の記録層の記録済みのセクタの内の最外周にあるもの（この場合は、中間領域の最外周のＥＣＣブロックアドレス）のＥＣＣブロックアドレスＮをＲＭＤの１つのフィールドに格納して、図２（Ｆ）に７１５で示すようにＲＭＡに記録する（図３のステップＳ８）。これにより、図２（Ｆ）に示すファイナライズ操作終了後の状態では、図４（Ｃ）に示すように、ＲＭＤのバイトポジション（ＢＰ）「８」から「１１」に、最外周記録済みアドレス・フィールドとして、中間領域３２５の最外周のＥＣＣブロックアドレスＮが記録される。
【００５５】
なお、システムコントローラ２１は、図３のステップＳ５でＥＣＣブロックアドレスＤ（＝Ｘ）の方が、ＥＣＣブロックアドレスＢ（＝Ｙ）より内周側であると判定した場合には、二層目記録層のデータ領域へのユーザーデータの記録がＥＣＣブロックアドレスＢよりも内周側か、あるいはその近傍まで行われたと判断し、記録再生回路２２及び光ピックアップ２３を制御して、二層目記録層のＥＣＣブロックアドレスＣからＥＣＣブロックアドレスＤまで、リードアウト属性のパディングデータを記録する。
【００５６】
また、図２（Ｅ）に相当するファイナライズ前の状態で、一層目記録層の途中までしかユーザーデータを記録しておらず、二層目記録層については新たな記録は行っていない場合もあり得る。その場合、一層目記録層についてはユーザーデータの記録領域の最外周位置から中間領域３１５までデータ属性のパディングデータを記録する。二層目記録層については、二層目記録層のユーザーデータ記録領域の最内周記録アドレスとして、中間領域３２５との境界のＥＣＣブロックアドレスを用いて、上記の操作を行う。
【００５７】
ここで、「最外周記録済みアドレス・フィールド」のようなフィールドをＲＭＤに設けて、その値を再フォーマット時にも保持することをしない場合、二層目記録層のデータ領域の最内周までリードアウト属性のパディングデータを記録する必要がある。これには、多大な時間を要する。これに対し、本実施の形態によれば、リードアウト属性のパディングデータを記録する必要があるのは、ＥＣＣブロックアドレスＢ又はＥＣＣブロックアドレスＤまでであり、記録に要する時間を短縮することが可能となる。従って、ファイナライズに要する時間も短縮することができる。
【００５８】
なお、図２（Ｆ）の場合、ディスク本来の中間領域３１５、３２５を使用しているので、この領域より外周側にデータを記録することは無い。従って、実際の中間領域３２５の最外周のＥＣＣブロックアドレスＮを使用する代わりに、「最外周記録済みアドレス・フィールド」を構成するビット数で表せる最大値（０ｘＦＦ・・・ＦＦ等）を、ＲＭＤに格納するようにしてもよい。この場合、その最大値よりも外周側には記録できないので、以降、このアドレス値が保持されることになる。
【００５９】
ただし、光ディスクの消去動作が行われた場合はその限りではない。すなわち、書き替え可能な媒体であるＤＶＤ−ＲＷディスクの場合、ディスク全面消去操作が行われることがある。その場合、新品ディスクと同様にディスクに何も記録していない状態となるので、「最外周記録済みアドレス・フィールド」もクリアする。
【００６０】
以上のように、ファイナライズの際に、二層目記録層の中間領域３２５又はシフテッド・中間領域３２７の最外周のＥＣＣブロックアドレスをＲＭＤの「最外周記録済みアドレス・フィールド」に格納して記録する。この値を再フォーマットしても引き継ぐ。更に、次のファイナライズ時に、「最外周記録済みアドレス・フィールド」の値を読み込んで、二層目の記録層のうち、記録済みの領域の最外周はどこかの情報を得ることで、ファイナライズに要する時間を短縮できる。
【００６１】
なお、ファイナライズ時の二層目記録層のうちの記録済みの領域の最外周アドレスは、ファイナライズ時の二層目記録層のうちの未記録領域の最内周アドレスと言い換えても同じであることは自明である。また、ファイナライズ時には、二層目記録層のうちの記録済みの領域の最外周アドレスと、一層目記録層のうちの記録済みの領域の最外周アドレスは１対１に対応する。従って、一層目記録層のうちの記録済みの領域の最外周アドレスを格納するようにしてもよい。また、以上の実施の形態では、ユーザーデータの記録済みの最終アドレスから所定の値（ディスク上に例えば、０.５ｍｍの幅分）だけ内周側のＥＣＣブロックアドレスＸを算出するものとした。別の実施の形態として、所定の値を０にしてもよい。
【００６２】
また、以上の実施の形態では、位置情報としてＥＣＣブロックアドレスを用いるものとしたが、別の実施の形態として、セクタ番号を用いるようにしてもよい。また、以上の実施の形態では、図２（Ｃ）のファイナライズ操作終了時に、二層目の記録層の記録済みのセクタの内の最外周にあるもの（この場合は、記録済みシフテッド・中間領域７０３の最外周のセクタ）のＥＣＣブロックアドレスＹ（ここでは、ＥＣＣブロックアドレスＢ）を、ＲＭＤの１つのフィールドに格納してＲＭＡ３１２に７０６で示すように記録するものとしたが、別の実施の形態として、二層目の記録層のユーザーデータ記録領域６０２とシフテッド・中間領域７０３との境界であるＥＣＣブロックアドレスＰをＥＣＣブロックアドレスＹとしてＲＭＤの１つのフィールドに格納してＲＭＡ３１２に記録してもよい。
【００６３】
シフテッド・中間領域３２７の幅はごく小さい（ディスク上で、０.５ｍｍ程度の幅）ため、二層目の記録層の記録済みのセクタの内のほぼ最外周位置にあるものと見なすことができる。その場合、図２（Ｆ）の、２回目のファイナライズ時に、最新のＲＭＤをディスクから読み取って、その中の「最外周記録済みアドレス・フィールド」の値Ｙを取り出すと、ＥＣＣブロックアドレスＰが得られることになる。従って、パディングデータの記録は、二層目の記録層のＥＣＣブロックアドレスＣからＥＣＣブロックアドレスＹ（ここでは、ＥＣＣブロックアドレスＰ）までの区間に対して行われる。その様子を、図２（Ｇ）の７１２で示す。なお、この時のパディングデータは、リードアウト属性でもよいし、データ属性でもよい。
【００６４】
また、以上の実施の形態では、図２（Ｆ）の、２回目のファイナライズ時の最後に、二層目記録層の記録済みのセクタの内の最外周にあるものとして、二層目記録層の中間領域３２５の最外周のＥＣＣブロックアドレスであるＮをＲＭＤの１つのフィールドに格納して、ＲＭＡに記録するものとしたが、別の実施の形態として、二層目記録層の中間領域３２５とデータ領域の境界であるＥＣＣブロックアドレスＱをＥＣＣブロックアドレスＹとしてＲＭＤの１つのフィールドに格納してＲＭＡ３１２に記録してもよい。中間領域３２５の幅はごく小さい（ディスク上で、０.５ｍｍ程度の幅）ため、二層目記録層の記録済みのセクタの内のほぼ最外周位置にあるものと見なすことができる。
【００６５】
また、以上の実施の形態では、ＲＭＤの「最外周記録済みアドレス・フィールド」にＥＣＣブロックアドレスを格納してＲＭＡに記録するタイミングがファイナライズ操作の終了時であるものとしたが、別の実施の形態として、ユーザーデータあるいはパディングデータの記録中であっても、あるＥＣＣブロックアドレスのセクタからリードアウト領域の最内周まで、全セクタが記録済みであれば、そのＥＣＣブロックアドレスをＲＭＤの「最外周記録済みアドレス・フィールド」に格納してＲＭＡに記録するようにしてもよい。
【００６６】
ところで、図２（Ａ）〜（Ｇ）では、２回目の記録で、１回目の記録のシフテッド・中間領域よりも外周側までユーザーデータを記録する場合の例を示している。逆に、１回目の記録後にクイック・フォーマット操作を行ってから、新たなユーザーデータの記録を行う２回目の記録の際に、１回目の記録のシフテッド・中間領域よりも内周側に新たなシフテッド・中間領域を設ける場合がある。図２（Ｈ）にその様子を示す。
【００６７】
図２（Ｈ）は、図２（Ｃ）のようにファイナライズされたディスクに対して、クイック・フォーマット操作を行ってから、新たなユーザーデータの記録を行った様子を示したものである。図２（Ｈ）中、領域８０３及び８０４はクイック・フォーマット操作により書き替えられた領域である。クイック・フォーマットの後で、中間領域（Middle-Area）を内周側の領域３１６、３２６に確保して、一層目の記録層のデータ領域３１４の内周側から中間領域３１６の手前までユーザーデータを記録してユーザーデータ記録領域６０７を形成し、その後、二層目の記録層の中間領域３２６との境界(ＥＣＣブロックアドレスＲ)から内周側のＥＣＣブロックアドレスＴまで６０８で示すように記録を行った状態を示す。
【００６８】
更に、図２（Ｉ）は、図２（Ｈ）に示す状態からファイナライズを行った状態を示す。ファイナライズの際には、図３のステップＳ３で示すように、ユーザーデータの記録済みの最終アドレス（ここでは、ＥＣＣブロックアドレスＴ）から所定の値だけ内周側のＥＣＣブロックアドレスＸを算出する。ここでは、所定の値として、０ｍｍを用いるものとする（従って、ＥＣＣブロックアドレスＸはＴに等しい）。続いて、図３のステップＳ４で示すように、最新のＲＭＤから「最外周記録済みアドレス・フィールド」を読み取り、その値Ｙを取得する。ここでは、Ｙとして、ＥＣＣブロックアドレスＢが取得される。１回目の記録である図２（Ｃ）のファイナライズ時に、シフテッド・中間領域の最外周のセクタのＥＣＣブロックアドレスＢを格納しているからである。
【００６９】
続く図３のステップＳ５では、アドレスＹ（ここでは、ＥＣＣブロックアドレスＢ）とアドレスＸ（ここでは、ＥＣＣブロックアドレスＴ）を比較して、どちらが内周側にあるかを判断する。図２（Ｉ）の場合には、アドレスＸ（ＥＣＣブロックアドレスＴ）の方が、アドレスＹ（ＥＣＣブロックアドレスＢ）よりも内周側にあると判断される。そこで、次のステップとして図３のステップＳ７が選択される。
【００７０】
ステップＳ７では、二層目記録層のユーザーデータ最内周記録アドレスからアドレスＸまでパディング記録するが、二層目記録層のユーザーデータ最内周記録アドレスは、図２（Ｉ）の場合ＥＣＣブロックアドレスＴであり、アドレスＸ（ここでは、ＥＣＣブロックアドレスＴ）に等しいので、ステップＳ７でのパディング記録は行わない。
【００７１】
次に、確保済みの領域３１６、３２６に中間領域属性のデータのパディング記録を行い、図２（Ｉ）に示すように、シフテッド・中間領域７１６、７１７を形成する。さらに、図３のステップＳ８で、二層目の記録層の記録済みのセクタの内の最外周にあるもののＥＣＣブロックアドレスをＲＭＤの「最外周記録済みアドレス・フィールド」に格納して、ＲＭＡに記録する。ここでは、先ほど取得したアドレスＹ（ＥＣＣブロックアドレスＢ）と、今回の記録の二層目の記録層の記録済みのセクタの最外周にあるシフテッド・中間領域７１７の最外周アドレスであるＥＣＣブロックアドレスＳとを比較して、ＥＣＣブロックアドレスＢの方がＥＣＣブロックアドレスＳよりも外周側にあると判断して、ＥＣＣブロックアドレスＢを格納する。
【００７２】
以上のように、ファイナライズの際に、二層目の記録層の記録済みのセクタの内の最外周にあるＥＣＣブロックアドレスをＲＭＤの「最外周記録済みアドレス・フィールド」に格納して記録する。この値を再フォーマットしても引き継ぐ。更に、次のファイナライズ時に、「最外周記録済みアドレス・フィールド」の値を読み込んで、二層目の記録層のうち、記録済みの領域の最外周はどこかの情報を得ることで、前回の記録のシフテッド・中間領域（あるいは中間領域）よりも内周側に今回のシフテッド・中間領域を設ける場合であっても、ファイナライズに要する時間を短縮できる。
【００７３】
なお、上記の実施の形態では、２回目の記録のファイナライズ時に、図３のステップＳ８で、先ほど取得したアドレスＹ（ＥＣＣブロックアドレスＢ）と、今回の記録の二層目の記録層の記録済みのセクタの内の最外周にあるＥＣＣブロックアドレスＳとを比較して、ＥＣＣブロックアドレスＢが外周側にあると判断して、アドレスＢを格納するものとしたが、次の別の実施の形態も考えられる。
【００７４】
すなわち、先ほど取得したアドレスＹの値と比較することは行わないで、今回の記録の記録済みの領域の最外周であるシフテッド・中間領域７１７の最外周のセクタのＥＣＣブロックアドレスＳをＲＭＤの「最外周記録済みアドレス・フィールド」に格納して、ＲＭＡに記録してもよい。あるいは、今回の記録のユーザーデータ記録領域６０８とシフテッド・中間領域７１７との境界であるＥＣＣブロックアドレスＲをＲＭＤの「最外周記録済みアドレス・フィールド」に格納して、ＲＭＡに記録してもよい。
【００７５】
次に、本発明の他の実施の形態について説明する。ＤＶＤ−ＲＷディスクには、マルチボーダーと呼ばれる記録法を使用することができる。これは、リードイン領域の役割を果たすボーダーイン（Border-in）領域とリードアウト領域の役割を果たすボーダーアウト（Border-out）領域とを設け、ボーダーイン領域とボーダーアウト領域とで挟まれたボーダード（Bordered〉領域をクローズすることで、そのボーダード領域については、ファイナライズと同様にＤＶＤプレーヤで読み取り可能にする記録法である。更に、一つのボーダード領域の外周側に新たなボーダード領域を追加することができる。
【００７６】
次に、光ディスク装置２０の他の実施の形態による、マルチボーダー記録法を使用した場合の、２層の記録層を持ったＤＶＤ−ＲＷディスク３０への記録状態の変遷の一例について、図５のディスク断面模式図を併せ参照して説明する。図５中、図１２と同一構成部分には同一符号を付してある。図５（Ａ）は、ＤＶＤ−ＲＷディスク３０が新品の状態を示しており、２つの記録層はともに未記録である。
【００７７】
図５（Ｂ）は、一層目記録層ではボーダーアウト領域３１８とボーダーイン領域３１９とからなり、二層目記録層ではボーダーアウト領域３２８とボーダーイン領域３２９とからなる、ボーダーゾーン（Border Zone）と呼ばれる領域をそれぞれディスクの最外周よりも内周側の領域に確保して、一層目記録層のデータ領域３１４の内周側からボーダーアウト領域３１８の手前までにユーザーデータを６１１で示すように記録し、その後、二層目記録層のデータ領域３２４にボーダーイン領域３２９との境界から内周側のアドレスＡまで内周に向かって６１２で示すように記録を行った状態を示す。ここで、ボーダーゾーンを確保するとは、図５（Ｂ）において、ＲＭＡ３１２に６１３で示すように、ボーダーゾーンの開始アドレス等を登録することである。
【００７８】
図５（Ｃ）は、図５（Ｂ）の状態からボーダークローズを行った状態を示す。ボーダークローズは、ユーザーの指示を基に上位装置１０の指令によって、システムコントローラ２１の制御のもと図６のフローチャートに従って行われる。ここで、ボーダークローズとは、一層目記録層についてはリードイン領域３１３からボーダーアウト領域３１８の最外周まで、又は例えば、ボーダード領域（ユーザーデータが格納される領域）を挟むボーダーイン領域３１９の最内周側からボーダーアウト領域３３１の最外周側まで、二層目記録層についてはボーダーイン領域３２９の最外周からリードアウト領域３２３の最内周まで、又は例えば、ボーダード領域を挟むボーダーイン領域３４２の最外周からボーダーアウト領域３２８の最内周までの全ての領域を記録済みとする操作である。
【００７９】
具体的には、システムコントローラ２１は上位装置１０からボーダークローズ指令を受けると（図６のステップＳ１１）、図５（Ｂ）に示す状態から、データ領域内の必要な部分に所定のデータを記録する（図５のステップＳ１２）。ここでは、ＤＶＤプレーヤで再生可能となるように、ディスクのファイルシステムを、図５（Ｃ）に７２０で示すように、データ領域３１４の最内周位置からある領域記録する。
【００８０】
続いて、システムコントローラ２１は、最新のＲＭＤから「最外周記録済みアドレス・フィールド」の値Ｙを読み取り（図６のステップＳ１３）、その値Ｙとユーザーデータの記録済みの最終アドレスＺとを比較する（図６のステップＳ１４）。「最外周記録済みアドレス・フィールド」は、前述したように、二層目記録層のこのフィールドに格納されたＥＣＣブロックアドレスのセクタからリードアウト領域の最内周まで、全セクタが記録済みであることを示すことである。
【００８１】
図５（Ｂ）の状態では、「最外周記録済みアドレス・フィールド」の値Ｙは、初期状態のときの最内周セクタ位置を示す「０」であり、一方、アドレスＺは図５（Ｂ）に示したＥＣＣブロックアドレスＡであるから、アドレスＺの方が外周側にあるので、図５（Ｂ）に示す状態の光ディスクのアドレスＺに隣接する未記録部分等についてパディングデータの記録が行われる（図６のステップＳ１５）。すなわち、ステップＳ１５では、まず、図５（Ｂ）の二層目記録層のＥＣＣブロックアドレスＡ（＝Ｚ）からリードアウト領域３２３の最外周側まで、リードアウト属性またはデータ領域属性のパディングデータで記録する。これにより、図５（Ｃ）に示すように、パディングデータ記録領域７２１が形成される。
【００８２】
続いて、図５（Ｂ）に示した一層目記録層のボーダーアウト領域３１８の内周側から外周側へ所定のデータを記録し、同図（Ｃ）に７２２で示すボーダーアウト記録領域を形成し、更に同図（Ｂ）に示した二層目記録層のボーダーイン領域３２９の外周側から内周側へ所定のデータを記録して、同図（Ｃ）に７２３で示すボーダーイン記録領域を形成する。続いて、図５（Ｂ）に示したリードイン領域３１３の未記録部分を同図（Ｃ）に７２４で示すように記録する。リードイン領域には、どこまでユーザーデータが記録されているかの情報等を記録する。これにより、ＲＭＡ領域３１２、３２２の情報を読み取る機能を有しない、ＤＶＤプレーヤにおいても、上記の記録領域７２０から再生した情報に基づいて、光ディスクのどこまで記録されているかの識別ができる。更に、同図（Ｂ）に示したリードアウト領域３２３を同図（Ｃ）に７２５で示すように記録する。このようにして、ステップＳ１５において、図５（Ｃ）の右下がりハッチ部の領域７２１〜７２５が、ボーダーアウト時に記録形成される。
【００８３】
次に、ボーダークローズ操作の終了時に、二層目の記録層の記録済みのセクタの内の最外周にあるもの（この場合は、二層目の記録層の記録済みボーダーイン領域７２３の最外周のセクタ）のＥＣＣブロックアドレスＢをＲＭＤの１つのフィールド、すなわち、最外周記録済みアドレス・フィールドに格納してＲＭＡ３１２に図５（Ｃ）に７２６で示すように記録する（図６のステップＳ１７）。
【００８４】
図７は、この最外周記録済みアドレス・フィールドの変遷の一例を示す。図７では、ＲＭＤのバイトポジション（ＢＰ）「８」から「１１」に、この最外周記録済みアドレス・フィールドを配置している。図７（Ａ）は、新品のディスクに記録を開始して、一度もファイナライズ操作又はボーダークローズ操作をしていない状態での「最外周記録済みアドレス・フィールド」には、０データが格納されて記録されていることを示している。図７（Ｂ）は、図５（Ｃ）のようにボーダークローズ操作を行った後での「最外周記録済みアドレス・フィールド」には、ＥＣＣブロックアドレスＢを格納して記録されていることを示す。
【００８５】
ところで、マルチボーダー記録の場合、ボーダーアウト領域の外周側に新たなボーダード領域を設けて、ユーザーデータを追加記録することができる。図５（Ｄ）にその時の様子を示す。図５（Ｄ）の記録領域６１３及び６１４が新たに記録したユーザーデータ記録領域を示す。図５（Ｅ）は、図５（Ｄ）の状態からボーダークローズを行った状態を示す。ボーダークローズは、ユーザーの指示に基づいて、上位装置１０の指令によって行われる。
【００８６】
図５（Ｄ）の状態から、まず、ボーダード領域内の一層目の記録層のデータ領域６１３に書き替えが必要な部分があれば、その部分に所定のデータを記録する（図６のステップＳ１２）。ここでは、図５（Ｅ）に７２７で示す領域に記録が行われる。次に、前述したステップＳ１３、Ｓ１４の処理が行われ、このときは最外周記録済みアドレスフィールドの値Ｙが図７（Ｂ）に示したようにアドレスＢであり、一方、ボーダード領域内の二層目記録層のデータ記録領域６１４の最内周アドレスＺはＣであり、これらは図５（Ｄ）に示すように、アドレスＺ（＝Ｃ）の方が値Ｙ（＝Ｂ）より外周側にあるので、システムコントローラ２１は前述したステップＳ１５のパディング記録を行うように、記録再生回路２２及び光ピックアップ２３を制御する。
【００８７】
すなわち、このステップＳ１５のパディング記録処理では、図５（Ｄ）に示す二層目記録層のアドレスＣからボーダーアウト領域３２８の最外周側まで、同図（Ｅ）に７２８で示すようにデータ属性のパディングデータで記録し、続いて、同図（Ｄ）に示した一層目記録層のボーダーアウト領域３３１の内周側から外周側へ同図（Ｅ）に７２９で示すように所定のデータを記録し、さらに同図（Ｄ）に示した二層目記録層のボーダーイン領域３４２の外周側から内周側へ所定のデータを同図（Ｅ）に７３０で示すように記録する。
【００８８】
最後に、図５（Ｄ）に示した一層目記録層のボーダーイン領域３１９の内周側から外周側へ同図（Ｅ）に７３１で示すように所定のデータを記録し、さらに同図（Ｄ）に示した二層目記録層のボーダーアウト領域３２８の外周側から内周側へ所定のデータを同図（Ｅ）に７３２で示すように記録する。これにより、図６のステップＳ１５のボーダークローズ時には図５（Ｅ）に縦線で示すハッチ部の領域７２８〜７３１が記録形成される。
【００８９】
そして、ボーダークローズ操作の終了時に、二層目の記録層の記録済みのセクタの内の最外周にあるもの（この場合は、二層目の記録層の記録済みボーダーイン領域７３０の最外周のセクタ）のＥＣＣブロックアドレスＤをＲＭＤの１つのフィールド、すなわち、図７（Ｃ）に示すように、ＲＭＤのＢＰ８から１１までの領域の最外周記録済みアドレス・フィールドを新たに更新してＲＭＡ３１２に図５（Ｅ）に７３３で示すように記録する（図６のステップＳ１７）。
【００９０】
すなわち、この記録時には、最新のＲＭＤを光ディスクの記録領域７２６から読み取って、その中の「最外周記録済みアドレス・フィールド」の値を取り出す。この場合、図７（Ｂ）に示したＥＣＣブロックアドレスＢが取り出せる。この値と今回の二層目記録層の記録済みボーダーイン領域７３０の最外周のＥＣＣブロックアドレスＤとを比較し、アドレスＤの方が外周側にあると判断して、「最外周記録済みアドレス・フィールド」にアドレスＤを図７（Ｃ）に示すように格納している。
【００９１】
さて、書き換え可能型の記録媒体であるＤＶＤ−ＲＷディスクの場合、以上のように、マルチボーダー記録を行った光ディスクに対して、再フォーマット操作を行うことができる。この操作は、ユーザーの指示を基に上位装置１０からの指令によって行われる。図２〜図４と共に説明した前記の実施の形態と同様にクイック・フォーマット操作が行われたとする。図５（Ｆ）に図５（Ｃ）の状態の光ディスクに対してクイック・フォーマット操作を行った結果の状態を示す。
【００９２】
具体的には、図５（Ｅ）からＲＭＤデータを更新して、同図（Ｆ）に８１０で示すように記録すると共に、リードイン領域の一部のデータを書き替え、データ領域の一部を同図（Ｆ）に８１１で示すように記録している。この記録領域８１０及び８１１以外の部分は、以前に記録したデータがディスク上に残ったままである。一方、更新されたＲＭＤデータ中には、以前のボーダーゾーンの情報等は残っておらず、記録領域８１０は未記録の場合と同様に扱われる。ただし、ＲＭＤ中の「最外周記録済みアドレス・フィールド」の値は、アドレスＤのままとする。
【００９３】
このクイック・フォーマット操作を行った光ディスクは新品ディスクと同様に取り扱われ、それまで設定したボーダーゾーンは無視してユーザーデータを新たに記録することができる。図５（Ｇ）は、図５（Ｆ）のようにクイック・フォーマット操作を行った光ディスクに対して、ボーダーゾーンをディスク最外周より内側に確保し、一層目記録層のデータ領域の内周側からボーダーゾーンの手前（すなわち、ボーダーアウト領域３５１の手前）までユーザーデータを記録してユーザーデータ記録領域６１５を形成し、その後、二層目記録層のボーダーゾーンとの境界（すなわち、ボーダーイン領域３６２の境界）から内周側のＥＣＣブロックアドレスＥまで記録を行ってユーザーデータ記録領域６１６を形成した状態を示す。
【００９４】
この記録後にボーダークローズ指令が上位装置１０から行われると、図６のフローチャートに従ってボーダークローズ操作が行われ、光ディスクは図５（Ｇ）に示す状態から同図（Ｈ）に示す状態となる。図５（Ｈ）において、まず、ボーダード領域内の一層目の記録層のデータ領域６１３に書き替えが必要な部分があれば、その部分に所定のデータを記録する（図６のステップＳ１２）。ここでは、図５（Ｈ）に７３４で示す領域に記録が行われる。次に、前述したステップＳ１３、Ｓ１４の処理が行われ、このときは最外周記録済みアドレスフィールドの値Ｙが図７（Ｃ）に示したようにアドレスＤであり、一方、ボーダード領域内の二層目記録層のデータ記録領域６１６の最内周アドレスＺはＥであり、これらは図５（Ｈ）に示すように、アドレスＺ（＝Ｅ）の方が値Ｙ（＝Ｄ）より外周側にあるので、システムコントローラ２１は前述したステップＳ１５のパディング記録を行うように、記録再生回路２２及び光ピックアップ２３を制御する。
【００９５】
すなわち、このステップＳ１５のパディング記録処理では、図５（Ｇ）に示した二層目記録層のアドレスＥからアドレスＤまで、同図（Ｈ）に７３５で示すようにデータ属性のパディングデータで記録し、続いて、同図（Ｇ）に示した一層目記録層のボーダーアウト領域３５１の内周側から外周側へ同図（Ｈ）に７３６で示すように所定のデータを記録し、さらに同図（Ｇ）に示した二層目記録層のボーダーイン領域３６２の外周側から内周側へ所定のデータを同図（Ｈ）に７３７で示すように記録する。これにより、図６のステップＳ１５のボーダークローズ時には図５（Ｇ）の領域７３５〜７３７が記録形成される。また、リードイン領域７２４の一部を書き換える。
【００９６】
そして、ボーダークローズ操作の終了時に、二層目の記録層の記録済みのセクタの内の最外周にあるもの（この場合は、二層目の記録層の記録済みボーダーイン領域７３７の最外周のセクタ）のＥＣＣブロックアドレスＧをＲＭＤの１つのフィールド、すなわち、図７（Ｄ）に示すように、ＲＭＤのＢＰ８から１１までの領域の最外周記録済みアドレス・フィールドを新たに更新してＲＭＡ３１２に図５（Ｈ）に７３８で示すように記録する（図６のステップＳ１７）。
【００９７】
すなわち、この記録時には、最新のＲＭＤを光ディスクの記録領域８１０から読み取って、その中の「最外周記録済みアドレス・フィールド」の値を取り出す。この場合、図７（Ｃ）に示したＥＣＣブロックアドレスＤが取り出せる。この値と今回の二層目記録層の記録済みボーダーイン領域７３７の最外周のＥＣＣブロックアドレスＧとを比較し、アドレスＧの方が外周側にあると判断して、「最外周記録済みアドレス・フィールド」にアドレスＧを図７（Ｄ）に示すように格納している。アドレスＤの方が外周側にある場合には、アドレスＤを引き続き格納する。
【００９８】
なお、上記の「最外周記録済みアドレス・フィールド」の値は、新たなボーダード領域が追加されたり、ボーダード領域が外周側に拡張されて、そのボーダード領域がボーダークローズされるか、またはディスクの消去動作が行われない限り、このアドレス値が格納される。
【００９９】
このように、本実施の形態によれば、データ属性のパディングデータを記録する必要があるのは、アドレスＤまでであり、二層目記録層のアドレスＤより内周側領域へのパディングデータの記録は不要であるため、「最外周記録済みアドレス・フィールド」のようなフィールドをＲＭＤに設けて、その値を再フォーマット時にも保持することをしない場合に比べて、記録に要する時間を短縮することができる。
【０１００】
なお、図６のステップＳ１４において、アドレスＺ（＝Ｅ）の方がアドレスＹ（＝Ｄ）より内周側であると判断した場合には、現在のボーダード領域の二層目記録層には未記録部分が無いということなので、アドレスＺ（＝Ｅ）の隣接部分にパディングデータを記録することはしない（図６のステップＳ１６）。ただし、一層目記録層の外周側のボーダーアウト領域７３６、二層目記録層の外周側のボーダーイン領域７３７には所定のデータを記録する。また、一層目記録層の内周側のリードイン領域７２４のうちの一部のデータを書き替える。
【０１０１】
また、図５（Ｇ）に相当するボーダークローズ前の状態で、一層目記録層の途中までしかユーザーデータを記録しておらず、二層目記録層については新たなユーザーデータの記録は行っていない場合もあり得る。その場合、一層目記録層についてはユーザーデータ記録領域の最外周のＥＣＣブロックアドレスからボーダーアウト領域３５１までデータ属性のパディングデータを記録する。二層目記録層については、アドレスＥとしてボーターイン領域との境界のアドレスＦを用いて、上記の操作を行う。
【０１０２】
以上のように、ボーダークローズの際に、二層目記録層のボーダーゾーンの記録済みの最外周のアドレスをＲＭＤの「最外周記録済みアドレス・フィールド」に格納して記録する。この値を再フォーマットしても引き継ぐ。さらに、次のボーダークローズ時に、「最外周記録済みアドレス・フィールド」の値を読み込んで、二層目記録層のうち、記録済みの領域の最外周はどこかの情報を得ることで、ボーダークローズに要する時間を短縮できる。
【０１０３】
なお、ボーダーアウト時の二層目の記録層のうちの記録済みの領域の最外周アドレスは、ボーダーアウト時の二層目の記録層のうちの未記録領域の最内周アドレスと言い換えても同じであることは自明である。
【０１０４】
また、ボーダーアウト時には、二層目の記録層のうちの記録済みの領域の最外周アドレスと一層目の記録層のうちの記録済みの領域の最外周アドレスは１対１に対応する。従って、一層目の記録層のうちの記録済みの領域の最外周アドレスを格納するようにしてもよい。また、以上の実施の形態では、ボーダード領域の二層目に最後にユーザーデータを記録したセクタのＥＣＣブロックアドレスと「最外周記録済みアドレスフィールド」の値を比較するものとしている。先の実施の形態では、所定の値（ディスク上に例えば、０.５ｍｍの幅分）だけ内周側のＥＣＣブロックアドレスＸを算出して、「最外周記録済みアドレスフィールド」の値を比較するものとしていた。本実施の形態も同様に行ってもよい。
【０１０５】
また、マルチボーダー記録したディスクをクイック・フォーマットし、その後でユーザーデータを記録して、ファイナライズする場合も、これまで述べた上記の各実施の形態と同様に扱うことができる。同様に、一旦ファイナライズしたディスクをクイック・フォーマットし、その後でユーザーデータを記録してボーダークローズする場合も同様である。
【０１０６】
なお、一度、ファイナライズ又はボーダークローズした光ディスクでは、本実施の形態ではリードイン領域３１３とリードアウト領域３２３とは所定のデータが記録されるので、その後の記録後にファイナライズ又はボーダークローズするときには、リードイン領域３１３とリードアウト領域３２３を除いたそれ以外の必要最小限の書き換えが必要な領域のみを上書きすればよい。あるいは、そのいずれか又は両方の領域の全てを記録し直すようにしてもよい。また、「最外周記録済みアドレス」の情報からその位置がボーダーアウトを記録していた部分と判断して、それを利用するようにしてもよい。
【０１０７】
なお、本発明は以上の実施の形態に限定されるものではなく、例えば、本発明が適用される記録媒体は、３層以上の記録層が積層された書き換え型光ディスクにも適用することができる。また、本発明は以上の実施の形態の光情報記録装置の各構成をコンピュータであるシステムコントローラ２１により実行させるコンピュータプログラムも含むものである。この場合、コンピュータプログラムは、記録媒体からコンピュータに取り込まれたものでも、通信ネットワークを介して配信されてコンピュータにダウンロードされるものでもよい。
【図面の簡単な説明】
【０１０８】
【図１】本発明の光情報記録装置の一実施の形態を含む記録再生システムのブロック図である。
【図２】本発明の一実施の形態による片面２層光ディスクに対する記録状態の変遷を示す光ディスクの模式断面図である。
【図３】本発明の一実施の形態の動作説明用フローチャートである。
【図４】本発明の一実施の形態により記録される最外周記録済みアドレス・フィールドの変遷の一例を示す図である。
【図５】本発明の他の実施の形態による片面２層光ディスクに対するマルチボーダー記録法を使用した記録状態の変遷を示す光ディスクの模式断面図である。
【図６】本発明の他の実施の形態の動作説明用フローチャートである。
【図７】本発明の他の実施の形態により記録される最外周記録済みアドレス・フィールドの変遷の一例を示す図である。
【図８】ＤＶＤ−Ｒディスク、ＤＶＤ−ＲＷディスクの部分外観斜視図である。
【図９】一層のみの記録層を持つＤＶＤ−Ｒディスク又はＤＶＤ−ＲＷディスクの記録領域の一例を模式的に示す断面図である。
【図１０】データ領域に記録されるデータ構成図である。
【図１１】ＤＶＤ−ＲＷディスクを重ね書きモードで使用する場合のＲＭＡのデータ構造の一例を示す図である。
【図１２】２層ＤＶＤ−Ｒディスクの記録領域の一例の構成を模式的に示す断面図である。
【図１３】図１２の２層ＤＶＤ−Ｒディスクのファイナライズ処理説明図である。
【符号の説明】
【０１０９】
１０  上位装置
２０  光ディスク装置
２１  システムコントローラ
２２  記録再生回路
２３  光ピックアップ
２４  プログラムメモリ
２５  データメモリ
２６  内部バス
２７  インターフェイス（ＩＦ）部
３０  片面２層ＤＶＤ−ＲＷディスク
３１２、３２２  ＲＭＡ領域
３１３  リードイン（Lead-in）領域
３１４、３２４  データ領域
３１５、３２５  中間領域
３１６、３２６、３１７、３２７  シフテッド・中間領域
３２３  リードアウト（Lead-out）領域
３１８、３２８、３３１、３４１、３５１、３６１  ボーダーアウト領域
３１９、３２９、３３２、３４２、３５２、３６２  ボーダーイン領域
６０１、６０２、６０５〜６０８、６１１〜６１６  ユーザーデータ記録領域
７０２〜７０５、７１２〜７１４、７１６、７１７、７２１〜７２５、７２８〜７３１、７３５〜７３７  パディングデータ記録領域
８０１〜８０４、８１０、８１１  クイック・フォーマット操作による記録領域
【図１】
2006323985.tif 000003
【図２】
2006323985.tif 000004
【図３】
2006323985.tif 000005
【図４】
2006323985.tif 000006
【図５】
2006323985.tif 000007
【図６】
2006323985.tif 000008
【図７】
2006323985.tif 000009
【図８】
2006323985.tif 000010
【図９】
2006323985.tif 000011
【図１０】
2006323985.tif 000012
【図１１】
2006323985.tif 000013
【図１２】
2006323985.tif 000014
【図１３】
2006323985.tif 000015